(57)【要約】      （修正有）【課題】２つの異なる炎を交互に生成することができるライターを提供する。【解決手段】ガスの容器１６と、第１のタイプの炎２を生成用の第１のガス回路２６と、第２のタイプの炎を生成用の第２のガス回路２４、火花を生成するための機構と関連付けられたドライバ６を備え、ドライバ６の回転動作が火花を発生させるライタ１において、ドライバ６が、第１の位置と第２の位置との間で並進移動できるように、ライタ１に取り付けられ、第１の位置では、第１のタイプの炎２を得るために、ドライバ６は、容器１６からのガスが第１の回路２６を通過できるように第１の回路２６を開けておき、第２の位置では、第２のタイプの炎を得るために、容器１６からのガスが第２の回路２４を通過できるように第１の回路２６を遮断する。【選択図】図４
2019015496.tif 000002
【特許請求の範囲】
【請求項１】
液体燃料の容器（１６）と、
第１のタイプの炎（２）を生成するための第１のガス回路（２６）と、
第２のタイプの炎（３）を生成するための第２のガス回路（２４）と、
火花を生成するための機構（１４、１５）と関連付けられたドライバ（６）と、
を備えるライタ（１）において、
前記ドライバ（６）の回転動作が火花を発生させ、
前記ドライバ（６）は、名目上の第１の位置と第２の位置との間で並進移動できるように前記ライタ（１）に取り付けられ、
前記第１の位置では、前記第１のタイプの炎（２）を得るために、前記ドライバ（６）は、前記容器（１６）からの前記液体燃料が前記第１の回路（２６）を通過できるように前記第１の回路（２６）を開けておき、
前記第２の位置では、前記第２のタイプの炎（３）を得るために、前記ドライバ（６）は、前記液体燃料が前記第２の回路（２４）を通過できるように前記第１の回路（２６）を遮断する、
ライタ（１）。
【請求項２】
前記第１の回路（２６）は、前記第１の回路（２６）の少なくとも一部分を含むと共に、前記第１の回路（２６）を開く位置と閉じる位置との間で移動可能な遮断部材（４２）を備え、
前記ドライバ（６）は、前記遮断部材（４２）と接触していることで、既定で前記第１の位置において、前記ドライバ（６）が前記遮断部材（４２）を前記開位置に保持し、
前記ドライバ（６）の前記第２の位置に向かう並進移動は、同一の振幅の前記遮断部材（４２）の前記閉位置への移動を生じさせる、
請求項１に記載のライタ。
【請求項３】
前記遮断部材（４２）は、予荷重が加えられたばね（４３）と関連付けられ、
前記ばね（４３）は、前記遮断部材（４２）が既定で前記開位置に保持されることを可能にすると共に、前記ドライバ（６）が既定で前記第１の位置に保持されることを可能にする、
請求項２に記載のライタ。
【請求項４】
前記ドライバ（６）の前記第１の位置から前記第２の位置への移動は、前記ばね（４３）の圧縮を伴う前記閉位置への前記遮断部材（４２）の移動を引き起こす、
請求項３に記載のライタ。
【請求項５】
前記第１の位置と前記第２の位置との間の前記ドライバ（６）の最大移動距離は、０．５ｍｍ以上３ｍｍ以下である、請求項１から４のうちいずれか一項に記載のライタ。
【請求項６】
前記ドライバ（６）が細長い円筒形の部材であり、
前記ライタ（１）内の前記ドライバ（６）の並進移動は、回転軸（１９）に沿って実現される、
請求項１から５のうちいずれか一項に記載のライタ。
【請求項７】
前記第１のタイプの炎が黄色炎（２）であり、前記第２のタイプの炎がターボ炎（３）であることを特徴とする、請求項１から６のうちいずれか一項に記載のライタ。
【請求項８】
前記第１の回路（２６）は、第１の拡散要素（１３）で終端し、
前記黄色炎（２）が前記第１の拡散要素（１３）の位置で生成され、
前記第２の回路（２４）は、第２の拡散要素（３２）で終端し、
前記ターボ炎（３）が前記第２の拡散要素（３２）の位置で生成され、
前記２つの拡散要素（１３、３２）は、前記ライタ（１）の同一の面（７）から出現し、
前記第２の拡散要素（３２）は、前記第１の拡散要素（１３）よりも高い位置に出現する、請求項７に記載のライタ。
【請求項９】
前記第１の拡散要素（１３）は、黄色炎（２）を２つの連続的な部分に生成可能な２つの異なるオリフィスを有し、
前記黄色炎（２）の前記２つの部分のうちの一方は、前記ターボ炎（３）の点火を可能にする向きを有することを特徴とする、請求項８に記載のライタ。
【請求項１０】
前記第１の拡散要素（１３）と前記第２の拡散要素（３２）との高低差が、１ｍｍ以上３ｍｍ以下である、請求項８または９のいずれか一項に記載のライタ。
【請求項１１】
液体燃料の前記容器（１６）は、閉鎖要素（１７）によって遮断され、
前記ライタ（１）は、中継部材（２０、２２）によって前記閉鎖要素（１７）に連結された旋回キャップ（５）を含み、
前記キャップ（５）を開けることで、前記第１の回路（２６）または前記第２の回路（２４）へ前記ガスを放出するために、前記閉鎖要素（１７）が前記中継部材（２０、２２）を介して動かされる、
請求項１から９のうちいずれか一項に記載のライタ。
【請求項１２】
請求項１から１０のうちいずれか一項に記載のライタを使用する方法であって、
前記ライタ（１）の前記容器（１６）に液体燃料を充填するステップと、
前記ライタ（１）の前記第１および第２の回路（２４、２６）に前記ガスを放出するために、前記キャップ（５）を開くステップと、
前記ドライバ（６）を回転させることで、火花を生成し、且つ前記第１のタイプの炎（２）を得るステップと、
前記ドライバ（６）を前記第１の位置と前記第２の位置の間で並進移動させることで、前記第１の回路（２６）を遮断しつつ、前記第２の回路（２４）を作動させて、前記第２のタイプの炎（３）を得るステップと、
を含む方法。
【発明の詳細な説明】
【技術分野】
【０００１】
本発明は、２つの異なる炎を交互に放出できるライタに関する。
【背景技術】
【０００２】
ライタの中には、従来の黄色炎とターボ炎すなわち青色炎とを交互に放出できるように設計されているものがある。このターボ炎すなわち青色炎は、広がりの小さい円錐状の炎であり、ガス排出速度がより高速の状態で得られる。黄色炎は一般に、たばこまたは葉巻を点火するものとして十分であり、ターボ炎はそれよりも、例えば急速に再点火するためなど、葉巻の特定の区画を局所的かつ迅速に加熱するためのものである。
【０００３】
現在市販されている、こういった２つのタイプの炎を交互に得ることを可能にするライタは、２つの異なるボタンを必要としており、そういったボタンはそれぞれ、特定の炎を得るよう明確に専用化されている。さてこのタイプのライタの主な不利な点とは、一方の炎からもう一方の炎への移行が複雑だということである。というのは、こういった移行の際は、必要なボタンを利用できるよう手中のライタの位置を変えたり、両手でライタを操作したりする必要があるからである。前者の場合は、ライタが使用者からすり抜け、地面に落ちる可能性がある。後者の場合は、使用者は、ライタの操作で両手がすでにふさがっている一方で、さらにたばこまたは葉巻を操作しなければならないため、困難な操作を行う必要がある。
【０００４】
例えば、特許文献１に、２つの異なるタイプの炎、つまり従来の黄色炎と耐風炎とを提供できるライタが記載されている。黄色炎は、サムホイールとフリントを含んだ点火装置によって生成され、耐風炎は、電子式の点火機構を利用して生成される。
【先行技術文献】
【特許文献】
【０００５】
【特許文献１】米国特許第６８８４０６３号明細書
【発明の概要】
【発明が解決しようとする課題】
【０００６】
本発明によるライタは、従来技術のライタの上述の不利な点を伴わずに、２つの異なる炎を交互に生成することができる。
【課題を解決するための手段】
【０００７】
本発明の本質は、液体燃料の容器と、第１のタイプの炎を生成するための第１のガス回路と、第２のタイプの炎を生成するための第２のガス回路とを備えるライタにおいて、火花を生成するための機構と関連付けられたドライバをさらに備え、上記ドライバの回転の作動が火花を発生させる、ライタにある。
【０００８】
本発明によるライタの主な特徴は、上記ドライバが、名目上の第１の位置と第２の位置との間で並進移動できるように、上記ライタに取り付けられ、上記第１の位置では、上記容器からの上記液体燃料が上記第１の回路を通過することを可能にするために、したがって上記第１のタイプの炎を得るために、上記ドライバが上記第１の回路を開けておき、上記第２の位置では、上記液体燃料が上記第２の回路を通過することを可能にするために、したがって上記第２のタイプの炎を得るために、上記ドライバが上記第１の回路を遮断する、という点である。文言「ドライバ」は、火花を発生させ、炎を瞬時に得るために、親指を素早く動かすことによって回転される、全体的に円筒形の形状をした部材を示す。上記の種類のライタの原理は、このドライバに、火花を生成する機能に加えて、２つのガス回路間を切り換える機能を追加することによって、そのドライバを多機能化することである。こうして、好ましくは親指によって加えられた単純な一押しでドライバをライタ内で並進移動させることによって、使用者は、第１または第２のタイプの炎を、必要に応じて自在かつ容易に選択できる。使用者は、火花を生成するためにも、２つの回路を切り換えるためにも、これらの２つの機能がドライバに集められていることから、手中のライタの位置を変える必要はない。１つの拡散要素の位置で１つの炎が形成され、その拡散要素へと通じるガスの流路を、１つのガス回路が全体的に画定する。この流路は、ガスの流量に作用するよう意図された複数の部材を含みうる。上記拡散要素はバーナとも呼ばれる。このライタ内でドライバの上記機能を全て実現できるよう動作する全要素が、好ましくは、上記ライタが既存のライタのサイズに対してほぼ一定のサイズを保持できるように、コンパクトに配置される。用語「名目上の位置」とは、「既定（デフォルト）で占める位置」を意味する。つまり、ドライバが使用者によって並進移動されていない場合、常に作動状態になっているのは、第１のタイプの炎を得るための第１のガス回路である。第１の回路の内径は、好ましくは、燃料ガスが優先して第１の回路を選択するように、第２の回路の内径よりも大きくなっている。１つの特定のタイプの炎は、特定のガスの流量と所与のガス拡散の結果としてもたらされる。ここで重要なのは、本発明によるライタは、２つの異なるタイプの炎を交互に提供でき、この２つのタイプの炎が同時に生成されることはない、ということである。
【０００９】
上記第１の回路は、有利には、その第１の回路の少なくとも一部分を含んだ、上記第１の回路を開く位置と閉じる位置の間で移動可能な遮断部材を備え、上記ドライバはこの遮断部材と接触しており、その接触が既定（デフォルト）で、上記名目上の第１の位置で、上記ドライバが上記遮断部材を上記開位置に保持するようになっており、さらに、上記ドライバの第２の位置に向かう並進移動が、同じ振幅の上記遮断部材の上記閉位置に向かう移動を引き起こすようになっている。遮断部材の閉位置は、上記部材が第１の回路を遮断し、その回路を非作動状態にする位置に対応し、開位置は、上記部材がその第１の回路を開く位置に対応する。つまり、ドライバは遮断部材に直に一押しを加え、したがって第１の回路の開閉を直に制御する。遮断部材は、第１の回路の、第１のタイプの炎を提供できる部分のみ、または全体を含みうる。
【００１０】
上記遮断部材は、好ましくは、予荷重が加えられたばねと関連付けられ、上記ばねは、上記遮断部材が既定で上記開位置に保持されることを可能にし、したがって、上記ドライバが既定でその第１の位置に保持されることを可能にする。遮断部材がドライバと接触していることから、ドライバをその第１の位置に保持するのは、上記ばねである。
【００１１】
上記ドライバの第１の位置から第２の位置への移動が、好ましくは、上記ばねの圧縮を伴う上記遮断部材の閉位置への移動を引き起こす。こうして、ドライバを並進移動させるために、ばねの力に打ち勝つための軽い力が必要になり、その力によって、上記ドライバの動きをより適切に制御することが可能になる。使用者がドライバに対する圧迫を取り除けば、ばねが伸張したときに、ドライバは直ちに第１の位置に戻る。
【００１２】
上記第１の位置と上記第２の位置の間の上記ドライバの最大移動距離は、有利には、０．５ｍｍ以上３ｍｍ以下である。容易かつ適切に制御された２つのガス回路間の切り換えを可能にするために、ドライバの移動距離は制限される。
【００１３】
上記ドライバは有利には細長い円筒形の部材であり、上記ライタ内の上記ドライバの並進移動は、有利にはその回転軸に沿って実現される。
【００１４】
上記第１のタイプの炎は好ましくは黄色炎であり、上記第２のタイプの炎は好ましくはターボ炎である。黄色炎は、ガス排出速度が数ｍ／ｓ程度であること、空気／ガス混合物がオリフィス（バーナ）から出た後に形成されること、ガス出口径が１ミリメートルの数１０分の１であること（炎が２つの場合）を特徴とする。ターボ炎は、ガス排出速度が約１００ｍ／ｓを超えること、ガスがオリフィスから出る前に空気／ガス混合物が形成されること、ガス出口径が７５μｍ程度であることを特徴とする。
【００１５】
好ましくは、上記第１の回路が第１の拡散要素のところで終端し、その第１の拡散要素の位置で上記黄色炎が生成され、上記第２の回路が第２の拡散要素のところで終端し、その第２の拡散要素の位置で上記ターボ炎が生成され、上記２つの要素は上記ライタの同じ面から現れ、上記第２の要素は上記第１の要素よりも高い位置に出現する。２つの炎はライタの同一の壁の位置に形成され、ターボ炎は、黄色炎よりも高いところに生成される。この高低差は、ライタにおいて既定で点火される炎である黄色炎が、青色炎の形成に寄与するという点で理にかなっている。
【００１６】
上記第１の拡散要素は、好ましくは、黄色炎を連続的な２つの部分として生成できる２つの異なるオリフィスを有し、この黄色炎の２つの部分のうちの一方が、上記ターボ炎の点火を可能にする特定の向きを有する。こうして、黄色炎は、連続的な２つの異なる部分に分割され、これらの部分は、上記２つのタイプの炎の可逆性を可能するように適切に配設される。この第１の拡散要素の２つのオリフィスは、好ましくは互いに対して７５°をなして配置される。黄色炎の、ターボ炎を点火するよう意図された部分は、有利にはそのターボ炎に対して４５°をなして配設される。
【００１７】
上記第１の拡散要素と上記第２の拡散要素との高低差は、有利には１ｍｍ以上３ｍｍ以下である。この種の高低差によって、黄色炎によるターボ炎の、そしてその逆にターボ炎による黄色炎の、容易で系統立った点火が可能になる。
【００１８】
液体燃料の上記容器は、有利には閉鎖要素によって遮断され、上記ライタは、剛性を有する中継部材によって上記閉鎖要素に連結された旋回キャップを含み、上記キャップを開けることによって、上記第１の回路および上記第２の回路へ上記ガスを放出するために、上記閉鎖要素が動かされる。
【００１９】
本発明の本質は、第二に、本発明によるライタを使用する方法にある。
【００２０】
本発明による方法の主な特徴は、この方法が、
上記ライタの上記容器に液体燃料を充填するステップと、
上記ライタの上記第１および第２の回路に上記ガスを放出するために、上記キャップを開くステップと、
火花を生成し、上記第１のタイプの炎を得るために、上記ドライバを回転させるステップと、
上記第２のタイプの炎を得るため、上記第１の回路を遮断し上記第２の回路を作動させるために、上記ドライバを上記第１の位置と上記第２の位置の間で並進移動させるステップとを含む、という点である。
【００２１】
上記第３のステップは、可逆的である。というのは、ドライバを第２の位置から第１の位置に戻すことによって、第１のタイプの炎を生成するために、第１の回路が再び作動されるからである。一方の炎からもう一方の炎への交替は、容器に液体燃料が残っている限り何回でも実現されうる。
【００２２】
本発明によるライタは、片手による容易で適切に制御された操作によって、２つの異なる炎を交互に生成する特定の機能を有するという利点を有する。実際には、この２つの炎は、単一の部材すなわちドライバによって生成される。ドライバは、同じ手の親指によって、回転または並進移動されうる。本発明によるライタはさらに、２つの異なる炎を交互に生成するこの二重機能を有さない既存のライタに比べて、全体のサイズを変えずに保持するという利点を有する。
【００２３】
本発明の好ましい実施形態によるライタの詳細な説明を、以下の図を参照して下記に示す。
【図面の簡単な説明】
【００２４】
【図１Ａ】開けたときの黄色炎の構成における、本発明によるライタの斜視図である。
【図１Ｂ】開けたときのターボ炎の構成における、本発明によるライタの斜視図である。
【図２】閉じた構成における、図１Ａおよび１Ｂのライタの斜視図である。
【図３】閉じた構成における、本発明によるライタの側面概略図である。
【図４】黄色炎の開構成における、本発明によるライタの動作機構の側面図である。
【図５Ａ】青色炎の開構成における、本発明によるライタの第２の回路の斜視図である。
【図５Ｂ】青色炎の開構成における、本発明によるライタの第２の回路の側面図である。
【図５Ｃ】青色炎の開構成における、本発明によるライタの第２の回路の拡大図である。
【図６】本発明によるライタの、黄色炎バーナおよび青色炎バーナを含んだ区画の斜視図である。
【図７】特にガス容器の開口を示す、本発明によるライタの機構の斜視図である。
【図８Ａ】黄色炎を生成できる第１の回路の断面図である。
【図８Ｂ】青色炎を生成できる第２の回路の断面図である。
【発明を実施するための形態】
【００２５】
ここで留意すべきこととして、図８Ａおよび８Ｂに示す回路は、一般的にライタで見られる通りの回路であるが、本発明によるライタ１では、この形で完全に再現されているわけではない。本発明によるライタでは、その動作原理のみが保持される。
【００２６】
図１Ａ、１Ｂおよび図２を参照すると、本発明によるライタ１は、従来の黄色炎２と、ターボ炎またはトーチ炎としても知られている青色炎３とを、交互に生成できる。尚、大まかに言うと、黄色炎すなわち拡散炎は、ライタ１内に存在する燃料を、空気からもたらされた酸素である酸化剤で不完全燃焼させることによって生じる。この空気／ガス混合物は、ガスがバーナのオリフィスから出た後に形成される。青色炎は、それよりも高速のガス速度で生成され、燃料を酸化剤で完全燃焼させることによって生じる。この空気／ガス混合物は、ガスが上記バーナのオリフィスから出る前に形成される。
【００２７】
ライタ１は、本体４と、旋回キャップ５と、回転ドライバ６を備える。本体４は、ほぼ平行六面体の形状で、ライタ１の動作機構を取り囲んでおり、特に、黄色炎２または青色炎３が放出される面７を有する。キャップ５は、矩形を画定する４つの側壁８と、この４つの側壁８を覆う上壁９とを備える。キャップ５は、例えば図２に示されているような閉位置から、例えば図１Ａおよび１Ｂに示されているような開位置まで旋回することができ、一方の位置からもう一方の位置へ移行する角度方向の回転幅は９０°より小さい。トレーナ６は、長手方向の平行な複数のリブ１０を有する外部表面によって画定された、中実の細長い円筒形部材の形をしている。このリブ１０の目的は、ドライバ６の外部表面の粗さを増大させることである。ドライバ６は、ライタ１の本体４の、２つの連続する面１１、１２の間にある縁の位置に、その２つの連続する面１１、１２と面一になるように取り付けられる。つまり、ドライバ６は、ライタ１の本体４に、その大きさを増すことなく完全に含まれる。
【００２８】
図２を参照すると、ドライバ６は、キャップ５がライタ１上の閉位置にあるとき、そのキャップ５に対して垂直に延びるように本体４内に配置され、その本体４の軸１９を中心にして取り付けられる。この軸１９は、ドライバ６の回転軸であり、そのドライバ６の長手方向軸と平行になっている。
【００２９】
図７を参照すると、ドライバ６の主な機能は、黄色炎を生成するよう意図されたバーナ１３の位置で、火花の発生を可能にすることである。ドライバ６は、フリント１５と接触しているサムホイール１４に接続されている。こうして、親指をさっと打ち当ててドライバ６を急回転させるとサムホイール１４が回転し、フリント１５と接触しているこのサムホイール１４が、そのフリント１５との摩擦によって火花を発生させる。
【００３０】
図２を参照すると、キャップ５は、ライタ１上の閉位置にある場合、理想的には本体４を段差無く延長し、ライタ１の外観と、使用者にとっての「感触」を改善する。
【００３１】
図３および４を参照すると、ライタ１の本体４は液体燃料の容器１６を備えており、容器１６は、液体燃料をライタ１の外側から投入する開口１８を備える。液体燃料は、例えばブタンガス、イソブタンおよびプロパンからなる混合物で構成されうる。この容器１６は細長い閉鎖部材１７を備えており、閉鎖部材１７は、容器１６内に液体燃料を保持する閉位置と、異なる炎を生成できるライタ１の回路へ液体燃料を放出する開位置との間を、摺動できる。この閉鎖部材１７の閉位置と開位置との間の摺動は、キャップ５によって実現される。
【００３２】
実際、図３、４および７を参照すると、キャップ５は、第１の軸２１を中心に旋回できる第１の旋回部材２０に連接式に連結され、この第１の旋回部材２０は、閉鎖部材１７の一方の端の位置に固定された第２の旋回部材２２と接触している。こうして、キャップ５が、図２に示されている閉位置から開くときに、完全に制御された特定の運動学に従って２つの旋回部材２０、２２を旋回させ、それによって、閉鎖部材１７が閉位置と開位置との間で摺動することが可能になる。これで液体燃料は、ライタ１の各種の炎生成回路内で循環できる。このキャップ５の動きは可逆的である。というのは、キャップ５をライタ１上の閉位置に戻すことによって、閉鎖部材１７が反対方向に摺動され、それによって最終的に燃料液体容器１６が完全に遮断されるからである。こうして、ライタ１は、キャップ５が開位置に達したときにのみ機能できる。実際には、設計により、この開位置に達する直前にはライタ１は機能できるようになっている。
【００３３】
図４を参照すると、ライタ１は、第１の管２３と第２の管２５を含む。第１の管２３は、液体燃料容器１６を、青色炎３を発生できる第２の回路２４の上流域に接続し、第２の管２５は、この第２の回路２４の上流域を、黄色炎を発生できる第１の回路２６に接続する。上記２つの回路２４、２６はライタ１内で切り離されており、かつ平行になっている。第１の回路２６の内径は第２の回路２４の内径よりも大きく、したがって、第１の管２３の出口における液体燃料は、自然に、黄色炎２を生成するよう意図された第１の回路２６の方を向く。この２つの回路２４、２６は一定の直径を有さないことから、平均内径を用いると、その説明がより厳密になるはずである。ライタ１は、第１の管２３に達する液体燃料の流量を調整できる調節ねじを有する。
【００３４】
図８Ａを参照すると、黄色炎２を提供するよう意図された第１の回路２６が、その上流部分から下流部分に向かって、膨張弁２７と、ガス流路２８と、バーナ１３を備える。膨張弁２７は、従来通りに、蒸発器２９と機械式の閉鎖具３０を備える。蒸発器２９を備える膨張弁２７は、膨張により燃料の状態を液体から気体に変化させる機能を有する。蒸発器２９の圧力比を変えることによって、気体状態のガスの膨張、したがってガスの流量を調整することが可能になり、この流量は、典型的には０．３〜４ｍｇ／ｓである。膨張弁２７の頂部に配置された機械式の閉鎖具３０は、ガス開口部を制御し、この装置によって膨張過程が可能になる。空気（空気からの酸素が酸化剤になる）中の燃料（ブタン＋イソブタン＋プロパンからなるガス混合物）の爆発限界は、その組成によって決まり、典型的にはブタンの場合１．８〜８．４％である。
【００３５】
燃料＋酸化性混合物の点火を引き起こすためのエネルギーの入力（数ミリジュールが必要である）が、以下のいずれかを利用して実現される。
ライタフリント１５を擦る鋼鉄サムホイール１４。ライタフリント１５は一般に、合金混合物「鉄＋セリウム＋希土類」で構成され、多量の火花を発生させる。
圧電結晶。圧電結晶は、衝撃を受けて、電極とバーナ１３の間に適切に配置された火花を発生させる。
【００３６】
ガスは、閉鎖具から出ると、流路２８すなわち管によってバーナ１３まで案内される。燃料はこのとき、バーナ１３の位置で、酸化剤（空気からの酸素）と混合される。
【００３７】
黄色炎すなわち拡散炎の場合、燃料と酸化剤との燃焼は不完全燃焼である。
【００３８】
図８Ｂを参照すると、青色炎３を提供するための第２の回路２４が、その上流部分から下流部分に向かって、従来通りに蒸発器２９および機械式の閉鎖具３０を含んだ膨張弁２７と、ガス流路３１と、青色炎３を拡散するための拡散要素３２を備える。ガス流路３１は、噴射器３３と、ベンチュリ効果を発生させるような形状のセグメント３４を備える。噴射器３３は金属板が載置された小室であり、この金属板には、直径が７０μｍ以上８０μｍ以下、典型的には７５μｍの穴３５が形成されている。噴射器３３の目的は、直径７５μｍの穴３５の出口のところで燃料の流出速度を加速することである。この燃料の流出速度は、回路２４内のガス流量の調整によって決まる。噴射器３３を通過する際に事前に加速された燃料は、ベンチュリ効果を発生させるような形状のセグメント３４を通過する際に、減圧を引き起こす。この減圧によって、周囲空気を、ベンチュリ効果を発生させるように適合されたセグメント３４の外周に配設された穴３７を介して吸引することが可能になる。これにより、燃料と酸化剤との予混合が引き起こされる。
【００３９】
図６および８Ｂを参照すると、燃料＋酸化性混合物は拡散要素３２に案内される。拡散要素３２はバーナであり、このバーナ３２は、中心穴３８と、バーナの外周に配設された周辺穴の環３９とを有する。バーナ３２の中心穴３８により、円錐の形をした青色炎を得ることが可能になり、周辺穴を含んだ環３９により、「パイロット」青色炎を得ることが可能になる。このパイロット青色炎があることによって、上記円錐内の燃焼を維持することが可能になる。
【００４０】
図８Ｂを参照すると、例えば、電極４１と関連付けられた圧電結晶４０などを備える点火装置が、拡散要素３２の位置に青色炎を得ることを可能にする火花を供給しうる。
【００４１】
青色炎の場合、燃料と酸化剤との燃焼は完全燃焼である。
【００４２】
図６を参照すると、黄色炎２を得ることを可能にするバーナ１３と、青色炎３を得ることを可能にする拡散要素３２は、ライタ１の同じ面７の上にある。バーナ１３と拡散要素３２の間には高低差があり、拡散要素３２はバーナ１３よりも高いところに出現する。この高低差は典型的には１〜３ｍｍである。より正確には、バーナ１３は、黄色炎２を２つに分けて形成するための２つのガス出口を構成するように適合された２つの異なるオリフィスを有し、この黄色炎２の２つの部分のうちの一方は、ターボ炎３の点火を可能にする特定の向きを有する。こうして、黄色炎は、２つの連続した別々の部分に分割される。上記２つの部分は、黄色炎２とターボ炎３の可逆性を可能にするように適切に配設される。この第１の拡散要素１３の２つのオリフィスは、好ましくは互いに対して７５°をなして配置される。ターボ炎３を点火するよう、またその逆に、ターボ炎３から点火される黄色炎２の部分は、有利にはそのターボ炎３に対して４５°をなして配設される。
【００４３】
図３、４、５Ａおよび５Ｂを参照すると、本発明によるライタ１では、第１の回路２６の膨張弁２７およびガス流路２８が、遮断部材４２の中に製造され、その遮断部材４２は、予荷重が加えられたばね４３によってライタ１の本体４内で並進移動できるように取り付けられている。ドライバ６の取り付けは、火花を発生させるために、軸１９を中心に回転するようになっていると同時に、第１の回路２６を開閉するために、その軸１９に沿って並進移動するようにもなっている。この遮断部材４２とドライバ６の本体４への配置は、遮断部材４２とドライバ６とが接触するようになっており、さらに、既定では、予荷重が加えられたばね４３のおかげで、遮断部材４２は第１の回路２６を開く位置になり、その遮断部材４２によってドライバ６がその軸１９に沿って第１の位置へ押し動かされるようになっている。したがって、この第１の位置からドライバ６を並進移動させることによって、遮断部材４２は、第１の回路２６を閉じる位置に達するまで、同じ振幅の並進移動を行う。遮断部材４２の閉位置は、ドライバ６の軸１９に沿った第２の位置に対応する。ドライバ６を第２の位置に向かって並進移動させるには、若干の力、すなわちばね４３の圧縮に要する力が必要になる。
【００４４】
したがって、本発明によるライタのドライバ６は、自由度２という利点を有する。つまり、１自由度は、炎を得るために、火花を生成する回転自由度であり、もう一方の１自由度は、２つの回路２４、２６を切り換えるために、第１の回路２６の開位置と閉位置の間で遮断部材４２を動かす並進自由度である。
【００４５】
本発明によるライタ１の使用方法は、液体燃料が容器１６にすでに充填されており、キャップ５がライタ１に対して閉位置にあると仮定して、燃料液体を第１の管２３に放出するために、キャップ５を旋回させて開くステップを含む。第１の回路２６の直径が第２の回路２４の直径よりも大きいことと、予荷重が加えられたばね４３のおかげで、既定（デフォルト）で遮断部材４２が上記第１の回路２６を開く位置にあることから、燃料液体は、第２の管２５を通過してから第１の回路２６に入る。つまり、容器１６からもたらされた液体燃料は、第１の回路２６全体を通過する。このステップは、図４および７に示されている。
【００４６】
本発明によるライタ１の使用方法は、拡散黄色炎２を得るために、ドライバ６をその粗い表面上で親指を素早く動かすことによって軸１９を中心に回転させるステップを含む。上記拡散黄色炎２は、第１の回路２６の出口に配置されたバーナ１３の位置に生成される。このステップは、図１Ａおよび４に示されている。
【００４７】
本発明によるライタ１の使用方法は、ドライバ６を第１の位置から第２の位置に移行させるために、そのドライバ６を親指で押すだけで、軸１９に沿って並進移動させるステップを含む。このステップは、上記ドライバ６が遮断部材４２と接触していることから、その遮断部材４２の、第１の回路２６を閉じる位置に向かう並進移動に反映される。遮断部材４２の移動には、予荷重が加えられたばね４３の圧縮に要する軽い力が必要になる。第１の回路２６が閉じると、第１の管２３からもたらされる燃料液体は、第２の回路２４を通過しなければならなくなる。こうして、最初に黄色炎２が形成され、その黄色炎２は消火の過程にあるが（第１の回路２６が閉じられるため）、その消火の前に、この黄色炎２によって、第２の回路２４からもたらされる青色炎３の燃焼の開始が可能になる。したがって、本発明によるライタ１では、青色炎３は黄色炎２から形成され、青色炎３の生成に特化された火花を生成する必要はない。このステップは、図５Ａおよび５Ｂに示されている。
【００４８】
本発明によるライタ１の使用方法は、青色炎３を使用する間、ドライバ６をその新たな並進位置に維持するステップを含む。
【００４９】
本発明によるライタ１の使用方法は、親指がドライバ６を解放するステップを含む。これを反映して、伸張する固有の傾向を有するばね４３が、遮断部材４２と関連付けられていることから、上記ドライバ６が第１の位置に自動的に戻される。このステップにより、まだ消火されていない青色炎３のおかげで、黄色炎２に瞬時に戻ることが可能になる。
【００５０】
上述のステップは、ライタ１の容器１６に液体燃料が残っている限り、使用者の望みに応じて何回でも再現されうる。
【００５１】
ライタ１にキャップ５を閉めるだけで、第１または第２の回路への液体燃料の供給が中断され、炎２、３の形成が停止する。
【符号の説明】
【００５２】
１  ライタ
２  黄色炎
３  青色炎
４  本体
５  キャップ
６  ドライバ
７  本体４の面
８  キャップ５の側壁
９  キャップ５の上壁
１０  リブ
１１  本体４の面
１２  本体４の面
１３  バーナ
１４  サムホイール
１５  フリント
１６  容器
１７  閉鎖部材
１８  開口
１９  ドライバ６の回転軸
２０  第１の旋回部材
２１  第１の軸
２２  第２の旋回部材
２３  第１の管
２４  第２の回路
２５  第２の管
２６  第１の回路
２７  膨張弁
２８  ガス流路
２９  蒸発器
３０  閉鎖具
３１  ガス流路
３２  拡散要素
３３  噴射器
３４  ベンチュリ効果を発生させるような形状のセグメント
３５  穴
３７  穴
３８  バーナ３２の中心穴
３９  バーナ３２の周辺穴の環
４０  圧電結晶
４１  電極
４２  遮断部材
４３  ばね
【図１Ａ】
2019015496.tif 000003
【図１Ｂ】
2019015496.tif 000004
【図２】
2019015496.tif 000005
【図３】
2019015496.tif 000006
【図４】
2019015496.tif 000007
【図５Ａ】
2019015496.tif 000008
【図５Ｂ】
2019015496.tif 000009
【図５Ｃ】
2019015496.tif 000010
【図６】
2019015496.tif 000011
【図７】
2019015496.tif 000012
【図８Ａ】
2019015496.tif 000013
【図８Ｂ】
2019015496.tif 000014
【外国語明細書】
2019015496000001.pdf